Podtech/llm-jp-corpus-v4-ja_patent huggingface dataset:
(57)【要約】【課題】雑巾がけの途中で、どの面が汚れてきたかわからなくなるため、何枚も雑巾を用意するか、バケツを持ち歩くか、又はすすぎ場までの往復することになるが、それらをなくすことを目的とする。【解決手段】１枚の雑巾の片面を長手方向に上下に区分し３色の色や模様で６等分し、それらに数字や文字で順番をふる。それをもう片面作り１２面作るものとする。それを横長に折り、さらに３等分に折る。出来上がった面を次々に出すことによって、常にきれいな面で拭き掃除ができる。【選択図】図１
2015208665.tif 000002
【特許請求の範囲】
【請求項１】
長手方向の布を上下に区分けし、各段を３区分してそれぞれに目印を付けた雑巾。
【請求項２】
目印の各中央部に番号又は文字にした請求項１の雑巾。
【請求項３】
目印の各区分を色又は模様にした請求項１又は請求項２の雑巾。
【発明の詳細な説明】
【技術分野】
【０００１】  本発明は、掃除のときに使用する効率のよい雑巾に関するものである。
【背景技術】
【０００２】  従来拭き掃除の際には、雑巾を使うなら、きれいな面で拭きたいため（特に窓ふき）、雑巾を数枚持ち歩くか、バケツを持って移動するか、すすぎ場まで何回も往復しながら掃除をするものである。
【発明の概要】
【発明が解決しようとする課題】
【０００３】  雑巾がけの途中でどの面が汚れてきたかわからなくなるため、何枚も雑巾を用意するか、バケツを持ち歩くか、又はすすぎ場まで往復するために時間を費やしていた。
本発明は、以上の問題点を解決するものである。
【課題を解決するための手段】
【０００４】  １枚の雑巾の片面を３色の色で６等分し、それらに数字や文字で順番をふる。それをもう片面作り１２面作るものとする。それを横長に折り、さらに３等分に折る。出来上がった面を数字又は文字順に出すことによって、スムーズに常にきれいな面で拭き掃除ができる。
【発明の効果】
【０００５】  １枚の雑巾で１２面のきれいな面ができるのなら、何枚も雑巾を用意する必要もなく、バケツを持ち歩くこともなく、すすぎ場まで行くわずらわしさもなくなり、節水にもつながる。すすぐ手間が省けければ、効率よい拭き作業ができる。また雑巾の同じ面ばかりが汚れることや、劣化することもなく、まんべんなく使いきれ、雑巾の寿命が延びるという利点もある。
【図面の簡単な説明】
【０００６】
【図１】雑巾の表面を示す平面図
【図２】雑巾の裏面を示す平面図
【図３】雑巾の表面をひっくり返した時に、上から見た平面図
【図４】二つ折りにした斜視図
【図５】Ｈ面を出すための三つ折りを示す状態図
【図６】Ｆ面を出すための三つ折りを示す状態図
【図７】Ｊ面を出すための三つ折りを示す状態図
【発明を実施するための形態】
【０００７】  以下、本発明の実施の形態を説明する。
（イ）  図１に示すように雑巾の表面（１）を横長に置き中央線（５）で上段（２）と下段（３）に分け、さらにそれぞれを３等分にし、合計６区分する。上段を左から例えば番号で４、１、２と表記し、下段は見やすくするために、逆さ文字で左から５、６、３と表記する。
（ロ）  （Ｆ）面と（Ｋ）面は（Ｃ）の同柄又は同色、（Ｇ）面と（Ｈ）面は（Ｅ）の同柄又は同色、（Ｉ）面と（Ｊ）面は（Ｄ）の同柄又は同色とする。色、模様、文字、数字で色々パターンができる。
（ハ）  図２に示すように雑巾の裏面（４）を横長に置き中央線（５）で上段（２）と下段（３）に分け、さらにそれぞれを３等分にし、合計６区分する。上段を左から例えば番号で４、１、２と表記し、下段は見やすくするために、逆さ文字で左から５、６、３と表記する
（ニ）  （Ｆ）面と（Ｋ）面は（Ｃ）の同柄又は同色、（Ｇ）面と（Ｈ）面は（Ｅ）の同柄又は同色、（Ｉ）面と（Ｊ）面は（Ｄ）の同柄又は同色とする。色、模様、文字、数字で色々パターンができる。（１）
本発明は以上のような構造である。
【０００８】    本発明を使用するときは
（イ）図３に示すように雑巾の表面（１）を下に向け、（Ｇ）面が上部へくるように置く。次に図４で示すように、中央線で下から上に横長に半分に折る。
（ロ）図５で示すように、右面を内側に３等分するように折り、（Ｆ）面が出てきたら、左面の（Ｋ）面を内側に折る。ここで（Ｇ）面、（Ｈ）面の順に拭く。
（ハ）（Ｇ）面の左下角を持ち、（Ｋ）面（Ｆ）面が上に来るように開き、図６で示すように左面の（Ｋ）面を下に折る。ここで（Ｋ）面、（Ｆ）面の順に拭く。
（ニ）（Ｋ）面の右下角を持ち、（Ｉ）面（Ｊ）面が上に来るように開き、図７で示すように右面の（Ｉ）面を下に折る。ここで（Ｉ）面、（Ｊ）面の順に拭く。これで６面全てを使って拭き終わったことになる。
（ホ）もう一方の裏面（４）も表面（１）の説明の通りに行うと、１２面が有効に使用できるので何枚も雑巾を用意する必要もなく、バケツを持ち歩くこともなく、すすぎ場まで行くわずらわしさもなくなる。
【符号の説明】
【０００９】１  雑巾の表面、２  雑巾の上段、３  雑巾の下段、４  雑巾の裏面（雑巾の表面をひっくり返した面）、５  中央線
Ｃ  （Ｆ）（Ｋ）面の色又は模様、Ｄ  （Ｉ）（Ｊ）面の色又は模様、
Ｅ  （Ｇ）（Ｈ）面の色又は模様、Ｆ  上段左上面、Ｇ  上段中央面、
Ｈ  上段右上面、Ｉ  下段左下面、Ｊ  下段中央面、Ｋ  下段右下面、
【図１】
2015208665.tif 000003
【図２】
2015208665.tif 000004
【図３】
2015208665.tif 000005
【図４】
2015208665.tif 000006
【図５】
2015208665.tif 000007
【図６】
2015208665.tif 000008
【図７】
2015208665.tif 000009
(57)【要約】      （修正有）【課題】現今使用している靴と同じく使用でき、くわえて、和服と調和する日本式草履足袋形状靴を提供する。【解決手段】靴底部分を草履形状部１とし、その上部を足袋形状部２として両者を組み合わせた構造とする。【選択図】図１
2015208664.tif 000002
【特許請求の範囲】
【請求項１】
本発明は草履形状と足袋形状を合わせた形状の靴において、従来使用、耐水、防水、撥水、耐用、靴材料高信頼性の材料を用いた靴に関する。
【発明の詳細な説明】
【技術分野】  本発明は草履形状と足袋形状を組み合わせた靴。使用材料は、現代作成している靴材料と同じく、耐水、防水、撥水、耐用、靴材料高信頼性を有する材料、皮革、ゴム、布、合成皮革を用い、機能も現今靴と同じく、形状を草履形状と足袋形状として両者を組み合わせた靴。和服着用時の使用によく適した靴。
【背景技術】
【０００１】  従来、特に和服着用時、和服と調和する日本式草履と日本式足袋を履用していた。しかるに、日本式草履足袋は耐水、防水、撥水に劣り、泥土道、水たまり、雨、雪降り時には足を汚し、荒い土石道では歩行困難であった。
【発明の開示】
【発明が解決しようとする課題】  本発明の靴は、現今使用している靴と同じく使用できる。くわえて、和服と調和する日本式草履足袋形状を考慮。そのうえ、使用材料機能も現今靴と同じく、耐用、耐水、防水、撥水に優れ、泥土道、水たまり、雨、雪降り時にも対応し、荒い土石道でも歩行を良好にする。
【課題を解決するための手段】  本発明の靴は、現今使用している靴と同じく使用できるものとする。和服着用時の履用を良好にするとともに、外観を考慮、靴底部外観を草履形状に仕上げ、草履上足袋部の外観を考慮、足袋形状に合わせ、足袋止め部を表記し。草履の鼻緒を表記する。
【発明の効果】  特に和服着用時の履用に関し。和服着用時、足元を良好に保つ、歩行を良好にする、和服の着用を促進、拡大させる。近年、日本各観光地に海外からの観光者が非常に増加している。その観光地に日本和服姿，殊に女性和服姿を添え、海外からの観光者の日本印象を深くする。そうするに当たり、本発明による草履足袋形状靴、言い換えれば和装靴を履用することにより和装着用者をより多く、したがって、外国からの観光客に限らず日本観光客をふくめて、観光客を引き付けることを期待できる。
【発明実施するための最良の形態】
図１に示す、
【実施例】  図１は草履足袋形状靴、言い換えれば和装靴。
【産業上の利用可能性】    和服着用時、足元を良好に保つ、歩行を良好にする、和服の着用を促進、拡大させる。近年、日本各観光地に海外からの観光者が非常に増加している。その観光地に日本和服姿，殊に女性和服姿を添え、海外からの観光者の日本印象を深くする。そうするに当たり、本発明による草履足袋形状靴、言い換えれば和装靴を履用することにより和装着用者をより多く、したがって、外国からの観光客に限らず日本観光客をふくめて、観光客を引き付けることを期待できる。また、寺院における和服着用者の利用も期待できる。
【図面の簡単な説明】
【図１】草履足袋形状靴を左斜め上から見た図である。
【符号の説明】１    靴底草履形状部
２    足袋形状部
３    足袋形状部の足袋止め部の表記
４    足袋形状部の鼻緒表記部
【図１】
2015208664.tif 000003
【手続補正書】
【提出日】平成27年7月23日(2015.7.23)
【手続補正１】
【補正対象書類名】明細書
【補正対象項目名】全文
【補正方法】変更
【補正の内容】
【発明の詳細な説明】
【技術分野】  本発明は草履形状と足袋形状を組み合わせた靴。使用材料は、現代作成している靴材料と同じく、耐水、防水、撥水、耐用、靴材料高信頼性を有する材料、皮革、ゴム、布、合成皮革を用い、機能も現今靴と同じく、形状を草履形状と足袋形状として両者を組み合わせた靴。和服着用時の使用によく適した靴。
【背景技術】
【０００１】  従来、特に和服着用時、和服と調和する日本式草履と日本式足袋を履用していた。しかるに、日本式草履足袋は耐水、防水、撥水に劣り、泥土道、水たまり、雨、雪降り時には足を汚し、荒い土石道では歩行困難であった。
【発明の概要】
【発明が解決しようとする課題】  本発明は草履形状と足袋形状を組み合わせた靴に関する。本発明の靴は、現今使用している靴と同じく使用できる。くわえて、和服と調和する日本式草履足袋形状を考慮。そのうえ、使用材料機能も現今靴と同じく、耐用、耐水、防水、撥水に優れ、泥土道、水たまり、雨、雪降り時にも対応し、荒い土石道でも歩行を良好にする。
【課題を解決するための手段】  本発明の靴は、現今使用している靴と同じく、耐水、防水、撥水、耐用、靴材料高信頼性を有する材料、皮革、ゴム、布、合成皮革を用い、機能も現今靴と同じく、和服着用時の履用を良好にするとともに、外観を考慮、靴底部外観を草履形状に仕上げ、草履上足袋部の外観を考慮、足袋形状に合わせ、足袋止め部を表記し、草履にもちいている鼻緒を設けるか、または、表記する。
【発明の効果】  特に和服着用時の履用に関し、和服着用時、足元を良好に保つ、歩行を良好にする、和服の着用を促進、拡大させる。近年、日本各観光地に海外からの観光者が非常に増加している。その観光地に日本和服姿，殊に女性和服姿を添え、海外からの観光者の日本印象を深くする。そうするに当たり、本発明による草履足袋形状靴、言い換えれば和装靴を履用することにより和装着用者をより多くなし、したがって、外国からの観光客に限らず日本観光客をふくめて、観光客を引き付けることを期待できる。
【図面の簡単な説明】
【図１】草履足袋形状靴を左斜め上から見た図である。
【発明を実施するための形態】
以下、本発明の実施の形態を図１に基づいて説明する。
【実施例】  図１において、１は草履形状の靴底部、それに、２の足袋形状靴状を重ね合わせる。足袋形状部に、３の足袋のコハデ部を表明する。さらに、足袋形状部に草履の鼻緒に類する鼻緒、４を設けるか、または、表明する。以上のごとくして、和装用靴を成す。
【産業上の利用可能性】  和服着用時、足元を良好に保つ、歩行を良好にする、和服の着用を促進、拡大させる。近年、日本各観光地に海外からの観光者が非常に増加している。その観光地に日本和服姿，殊に女性和服姿を添え、海外からの観光者の日本印象を深くする。そうするに当たり、本発明による草履足袋形状靴、言い換えれば和装靴を履用することにより和装着用者をより多く、したがって、外国からの観光客に限らず日本観光客をふくめて、観光客を引き付けることを期待できる。また、寺院における和服着用者の利用も期待できる。
【符号の説明】  図１においては、
１  靴底部草履形態部
２  靴上部足袋形態部
３  コハデ表明部
４  鼻緒部
(57)【要約】      （修正有）【課題】自分の力で腰椎を牽引しながら運動ができる補助器具を提供する【解決手段】病院・治療院等で行っている腰椎牽引改善法を自己運動改善法に取り入れる。設備も大掛かりな物でなく、また機械や電気を使わず安価で安全にいつでも行える補助器具。腰痛改善運動を行うときに上半身の体重の軽減及び腰椎の牽引を同時に行う。安全性・操作性・経済性を考えてベルトタイプの自力で腰椎を伸ばす補助器具であって、左右に取っ手の付いたベルトで骨盤を固定し、左右それぞれの手で取っ手を持って下方（つま先の方）に押すことで、自分の力で腰椎を伸ばしながら、腰、足の運動をすることができる。【選択図】図４
2015208662.tif 000002
【特許請求の範囲】
【請求項１】
左右に取っ手の付いたベルトで骨盤を固定し、左右それぞれの手で取っ手を持って下方（つま先の方）に押すことで、自分の力で腰椎を伸ばしながら、腰、足の運動をすることができるベルト
【発明の詳細な説明】
【技術分野】本発明は、腰痛改善運動をするための簡単な補助器具（ベルトタイプ）に関するものです。
【背景技術】・従来の腰痛改善牽引治療器は、腰椎の傷みを取るために下半身を固定して上半身、又は下半身を電動又は機械を利用した手動で牽引するため、ベットタイプや椅子タイプになり大掛かりな設備となる。
・従来の牽引治療器は下半身の運動が出来ないため、腰椎は伸びるが、運動効果は期待できず、筋肉等をほぐせない。
・更に腰椎改善運動だけでは、腰椎を牽引する効果が望めず、また腰痛がある時には牽引しないと痛みがとりにくい。
【発明の概要】
【発明が解決しようとする課題】病院、治療院等に通院して治療するまでの痛みでなく、これ以上ひどくならない予防の為に自宅で簡単に牽引しながら運動ができる補助器具がありそうでなかった。
【課題を解決するための手段】左右に取っ手の付いたベルトで骨盤を固定し、左右それぞれの手で取っ手を持って下方（つま先の方）に押すことで、自分の力で腰椎を伸ばしながら、腰、足の運動をすることができるベルト。
【発明の効果】１、腰痛改善の為の腰椎牽引が補助ベルトを装着し、つま先方向に自力で押すだけで牽引効果が得られる。
２、大掛かりな「ベットタイプ・椅子タイプ」より大幅に安価で製造出来ることからコストがかからず、自宅で行えることから普及性がある。
３、身体全体を固定しなくて済む為、腰痛改善運動をも併用して行え、腰椎に関係する筋肉や筋などのコリも同時にほぐせ、改善効果が大きくなる。
４、腰痛時でも牽引しながら改善運動が行える為、痛みが軽減する。
【図面の簡単な説明】
【図１】自己腰痛改善運動補助ベルトの立体図
【図２】上から見た図
【図３】装着した図
【発明を実施するための形態、実施例】
図３の様に骨盤の上部に装着して、図４の様に両手で左右の取っ手をつま先方向に押し（腰椎を自力で牽引）ながら下半身運動をする。
【産業上の利用可能性】
【図１】
2015208662.tif 000003
【図２】
2015208662.tif 000004
【図３】
2015208662.tif 000005
【図４】
2015208662.tif 000006
【手続補正書】
【提出日】平成26年7月2日(2014.7.2)
【手続補正１】
【補正対象書類名】明細書
【補正対象項目名】全文
【補正方法】変更
【補正の内容】
【発明の詳細な説明】
【技術分野】
【０００１】本発明は、腰痛改善運動をするための簡単な補助器具（ベルトタイプ）に関するものです。
【背景技術】
【０００２】・従来の腰痛改善牽引治療器は、腰椎の傷みを取るために下半身を固定して上半身、又は下半身を電動又は機械を利用した手動で牽引するため、ベットタイプや椅子タイプになり大掛かりな設備となる。
・従来の牽引治療器は下半身の運動が出来ないため、腰椎は伸びるが、運動効果は期待できず、筋肉等をほぐせない。
・更に腰椎改善運動だけでは、腰椎を牽引する効果が望めず、また腰痛がある時には牽引しないと痛みがとりにくい。
【発明の概要】
【発明が解決しようとする課題】
【０００３】病院、治療院等に通院して治療するまでの痛みでなく、これ以上ひどくならない予防の為に自宅で簡単に牽引しながら運動ができる補助器具がありそうでなかった。
【課題を解決するための手段】
【０００４】左右に取っ手の付いたベルトで骨盤を固定し、左右それぞれの手で取っ手を持って下方（つま先の方）に押すことで、自分の力で腰椎を伸ばしながら、腰、足の運動をすることができるベルト。
【発明の効果】
【０００５】１、腰痛改善の為の腰椎牽引が補助ベルトを装着し、つま先方向に自力で押すだけで牽引効果が得られる。
２、大掛かりな「ベットタイプ・椅子タイプ」より大幅に安価で製造出来ることからコストがかからず、自宅で行えることから普及性がある。
３、身体全体を固定しなくて済む為、腰痛改善運動をも併用して行え、腰椎に関係する筋肉や筋などのコリも同時にほぐせ、改善効果が大きくなる。
４、腰痛時でも牽引しながら改善運動が行える為、痛みが軽減する。
【図面の簡単な説明】
【０００６】
【図１】自己腰痛改善運動補助ベルトの立体図
【図２】上から見た図
【図３】装着した図
【図４】使用方法を表す図
【発明を実施するための形態、実施例】
【０００７】図３の様に骨盤の上部に装着して、図４の様に両手で左右の取っ手をつま先方向に押し（腰椎を自力で牽引）ながら下半身運動をする。
(57)【要約】【課題】    本発明は、従来のリサイクル困難な二次電池を使用することなく、太陽光発電により得られた電気を動力、また動力のアシストとして利用し、駆動させる自転車型電動遊具を得ることにある。【解決手段】本発明は、太陽光発電パネルを搭載し、太陽光発電から得られた電気を動力、または動力のアシストとして利用する自転車型電動遊具が得られる。【選択図】図１
2015208661.tif 000002
【特許請求の範囲】
【請求項１】
太陽光発電により得られた電気を動力とした自転車型遊具
【請求項２】
太陽光発電により得られた電気により、動力をアシストする自転車型遊具
【発明の詳細な説明】
【技術分野】
【０００１】  本発明は、太陽光発電による電気をアシスト動力とする自転車型の遊具に関するものである。
【技術背景】
【０００２】  従来より、電動遊具は二次電池としての蓄電池や充電式電池の電気を動力に変換することで楽しまれており、また自転車型の形状を成した電動遊具がなかった。
【０００３】  しかしながら、従来の二次電池の中には、時間の経過とともに蓄えた電気が失われるような自然放電が起こるものが多く、二次電池の寿命が課題となっている。
【０００４】  また、従来の二次電池を廃棄する場合の、環境への影響も課題となっている。
【先行技術文献】
【特許文献】
【０００５】
【特許文献１】特許公開２００７−１１２４０６
【発明の概要】
【発明が解決しようとする課題】
【０００６】  本発明は、以上のような、電動遊具に使用される二次電池の寿命を伸ばし、電動遊具のランニングコストの低減に役立つことを目的としている。【０００７】  また本発明により、電動遊具に使用される二次電池を廃棄するにあたり、太陽光発電による設備は、その大部分がリサイクル可能な素材でできていることから、環境への配慮も目的としている。
【課題を解決するための手段】
【０００８】  本発明は、自転車型電動遊具の動力を、太陽光発電による電気による成されることを発見したものである。【０００９】  本発明で考案された自転車の形態に、太陽光発電の装置を搭載することは、特許公開２００７−１１２４０６により実証されている。
【発明の効果】
【００１０】  本発明の効果は、自転車型の電動遊具に太陽光発電のシステムを搭載して、そこから得られた電気を動力として楽しむことができることが示唆されたものである。【００１１】  また本発明は、電動遊具の形状、形態を自転車型にした場合においても、特許公開２００７−１１２４０６により実証されているように、太陽光発電のシステムを搭載することが可能であることが示唆されたものである。
【図面の簡単な説明】
【００１２】
【図１】図１に示すように、自転車のペダルを継続的に踏むことによる自力の動力と、太陽光発電により得られた電気をアシスト動力とする方法で、前進する自転車型電動遊具である。この場合、太陽光蓄電池は最低でも２００ワット以上の電力を出力できるものとする。
【００１３】  駆動輪となる後ろの車輪は、ペダルからの自力動力が前後２つの歯車を通して稼働する仕組みであり、且つ後ろの歯車にはモーターが取り付けてあり、太陽光発電により得られた電気でも稼働する自転車型電動遊具である。
【発明を実施するための形態】
【００１４】  図１に示すように、前後２つの車輪は、空中に設置されたレール上を移動するものである。
【産業上の利用可能性】
【００１５】  本発明は、行楽地やレジャー施設、遊園地で遊んで楽しむための産業で利用される。
【図１】
2015208661.tif 000003
(57)【要約】【課題】従来の布将棋盤は、持ち運びにくく、駒と布盤は別々だった。また、布に皺が入りやすく、平らにならず、駒を指し難かった。【解決手段】丸い布盤を作り、巾着型にして、中に駒などを入れて、腰に掛けられるようにして運びやすくした。表裏の布だけでは、皺になるので、表裏の間にもう一枚の布をマス目に合わせて入れた。【選択図】図１
2015024107.tif 000002
【特許請求の範囲】
【請求項１】
布でできた将棋盤において、布を丸くすることによって、巾着にもなるようにしました。
【請求項２】
２４個の穴を開け（穴は２４個意外にも考えられます。）、紐を通し、ストッパーと金具を付け腰から吊るせます。
【請求項３】
駒や貴重品などを入れて、持ち運べ広げれば、将棋が指せます。
【請求項４】
マス目のかいた布、裏の布、バイアステープ、ストッパー、腰に掛ける金具、紐は、いろいろな色に変えることが可能です。
【請求項５】
バイアステープは、布が丸い為、５ｃｍ間隔に小さく三角形に切り取りました。アイロンがけと、ミシン縫いがやり易くなりました。
【請求項６】
表と裏の布の間に、もう一枚、マス目の大きさの布を入れ、固定し、駒を指した時に浮き難くしました。少し厚めの布が良いです。
【請求項７】
表や裏の布を使って、布を広げて、食事や飲み物を楽しめます。
【請求項８】
３枚布を使わずに１枚又は、２枚でも作れますが、皺になりやすく、将棋が指し難くなります。
マス目の塗料は、アクリル系のインクを使用しました。
【請求項９】
穴に金具を取り付けたり、紐がほつれ難いものにする為、（毛糸以外にも、ナイロン繊維、ポリエステル繊維ビニール、ゴムひも、チェーン、皮、金属）などが考えられます。
【請求項１０】
子供から大人まで、幅広く使って頂ける様に、布などに花柄や、刺繍、名前、ブランド、なども考えられます。
【発明の詳細な説明】
【発明の詳細な説明】
【技術分野】
【０１】名称にあるように、布を丸く切り、将棋のマス目を描き、布のまわりに穴を開け、紐を通して金具付け、巾着型にしました。今までの将棋盤は長方形であるのに対し、この布将棋盤は丸くして、紐と金具で腰から吊るせます。巾着と将棋盤を合体させました。
【背景技術】本発明は、便利に将棋を指せるための、布・巾着型・将棋盤に関するものである。
【非特許文献】羽生善治の  やさしいこども将棋入門  羽生善治（監修）
【発明が解决しようとする課題】
【０１】従来の将棋盤は重くて運びにくい。最近、布将棋盤はあるが、巾着型の将棋盤は無い。しかし布である為に、真っ平らにはなりにくく駒が浮いてしまうことがある。巾着の形から、将棋盤にする時、１分程時間がかかる。
【課題を解決するための手段】
【０１】裏表の２枚の布の間にもう１枚布を挟む。
しかし、３枚布を重ねるとバイアステープが縫いにくいので、将棋のマス目があるところだけ、２枚の布のあいだに固定する。この布はマス目と同じ長方形になります。
【発明の効果】
【０１】どこでも持ち歩け、将棋を楽しめます。
【０２】将棋の駒以外に財布、携帯電詁など持ち運べます。
【０３】男性、女性、子供に合わせて布の色をかえたり、人気プロ棋士のサインを入れたりすることも可能です。例・・女性（赤、ピンク系統の布を使う。）
裏返して、食事をしたり、飲み物を飲んだりしてくつろげます。
【図面の簡単な説明】
【図１】本発明の、布・巾着型・将棋盤の平面図
【図２】同布・巾着型・将棋盤の断面図
【図３】同布・巾着型・将棋盤の巾着型にした時の腰に吊るした場合の使用図
【発明を実施するための最良の形態】
【０１】布の直径、約５０ｃｍの円です。マス目は縦２８．８ｃｍ×横２７．０ｃｍ
巾着にした場合、縦、約２２ｃｍ×横、約１７ｃｍ
紐を通す穴の数は全部で２４個です。紐は直径約８ｍｍです。
穴は、ドリルパンチで開けました。紐の長さは、約１ｍ８０ｃｍです。
２つ穴のあるストッパーと腰に引っかける金具１つがついてます。
【図１】
2015024107.tif 000003
【図２】
2015024107.tif 000004
【図３】
2015024107.tif 000005
【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
布を丸く切り、将棋のマス目を描き、布のまわりに穴を開け、
紐を通して金具を付け、腰から吊るせ、巾着としても使えることを特徴とする布・巾着型・将棋盤。
【請求項２】
表と裏の布の間に、もう一枚マス目全体の大きさの布を入れて、固定し、
マス目を書いた布が皺になり、駒が指し難くならない様にし、バイアステープは、布が丸い為、５ｃｍ間隔に小さく三角形に切り取り、子供から大人まで幅広く使って頂けるように、布に柄や刺繍、名前などを入れられる事が考えられることを特徴とする請求項１記載の布・巾着型・将棋盤。
【手続補正２】
【補正対象書類名】明細書
【補正対象項目名】全文
【補正方法】変更
【補正の内容】
【発明の詳細な説明】
【発明の詳細な説明】
【技術分野】
【０００１】本発明は、将棋盤が長方形であるのに対し、この布将棋盤は丸くして、紐と金具で腰から吊るせ、巾着と将棋盤を合体させた。
【背景技術】
【０００２】本発明は、便利に将棋を指せるための、布・巾着型・将棋盤に関するものである。
【発明が解決しようとする課題】
【０００３】従来の将棋盤は重くて運びにくい。
最近、布将棋盤はあるが、巾着型の将棋盤は無い。
しかし，布である為に、真っ平にはなり難く、駒が浮いてしまうことがある。
巾着の形から、将棋盤にする時、１分程時間がかかる。
【課題を解決するための手段】
【０００４】裏表の２枚の布の間にもう１枚布を挟む。
しかし、３枚布を重ねるとバイアステープが縫いにくいので、将棋のマス目があるところだけ、２枚の布のあいだに固定する。この布はマス目と同じ長方形になる。
【発明の効果】
【０００５】どこでも持ち歩け、将棋を楽しめる。
将棋の駒以外に財布、携帯電話など持ち運べる。
男性、女性、子供に合わせて布の色をかえられる。
人気プロ棋士のサインを入れたりすることも可能である。
裏返して、食事をしたり、飲み物を飲んだりしてくつろげる。
【図面の簡単な説明】
【０００６】
【図１】本発明の、布・巾着型・将棋盤の平面図である。
【図２】同布・巾着型・将棋盤の断面図である。
【図３】同布・巾着型・将棋盤の巾着型にした時の腰に吊るした場合の使用図である。
【発明を実施するための最良の形態】
【０００７】布の直径、約５０ｃｍの円である。マス目は縦２８．８ｃｍ×横２７．０ｃｍ
巾着にした場合、縦、約２２ｃｍ×横、約１７ｃｍ
紐を通す穴の数は全部で２４個、紐は直径約８ｍｍ
穴は、ドリルパンチで開け、紐の長さは、約１ｍ８０ｃｍ
２つ穴のあるストッパーと腰に引っかける金具が１つある。
(57)【要約】      （修正有）【課題】ゆで卵、ポテトを器に入れて、ゆで卵、ポテトをおし切り荒みじん状熊にする調理器具において、卵、ポテトをまわし切る、できたサラダを別の器に移し変え、まな板、包丁、スライス具、つぶし具の洗い物をしなければならないが、器に入れ、一本の調理具で、おすだけで、ゆで卵、ポテトが荒みじんに状態になる、かんたん便利な調理器具を提供する。【解決手段】金属１板に、ほそ長い金属２でくし状部分を設け、くし部分を曲げて、くわ型、Ｌ字型状を設け、一本のＬ字型、フォークの先が曲げ部分４のＬ字型になった一本の調理器具を設ける。【選択図】図１
2015024111.tif 000002
【特許請求の範囲】
【請求項１】
金属にくし状部分を設けた調理器具。
【請求項２】
金属のくし状部分を曲げ、くわ型、Ｌ字型にした調理器具。
【請求項３】
くし部分を曲げた棒状の調理器具で、フォークのくし部分が曲がりＬ字型になった調理器具。
【請求項４】
くし部分の、すきまは、細巾、中巾、太巾にすることで、こまかい、つぶが大きいブツブツ状にできる調理器具。
【発明の詳細な説明】
【技術分野】
【０００１】  本発明は、ゆで卵、ポテトなどを、おし切りし、荒みじん状態につぶす、調理器具に関するものである。
【背景技術】
【０００２】  従来、ゆで卵、ポテトなど、荒みじんに調理する場合、包丁、スライス具、おしつぶし具の使用がなされている。
【発明の開示】
【発明が解決しようとする課題】
【０００３】  ゆで卵、ポテトを荒みじん調理、卵サラダ、ポテトサラダにする場合、次のような問題点があった。少量のゆで卵、ポテトを荒みじん調理する場合、包丁、スライス具、おしつぶし具が利用されている。それぞれに、卵を回し切る、サラダ調理した物を別の器に移しもる。調理後は、まな板、調理器具の洗いがなされている。
本発明は、器に入れ、おし切りしながら荒みじんに調理、スヨネーズを入れまぜる事で、一個の器、１本の調理具で調理でき、後の洗い、移し変えがはぶける、かんたんな調理器具である。
【課題を解決するための手段】
【０００４】  ほそ長い金属に、数個のほそ長いみぞを作り、くし型型部分を設ける。くし型部分を曲げ、くわ型、Ｌ字型を設ける。フォークの先のくし部分が曲がったＬ字型に設ける。くし部分の巾を、細め、中め、太めにすることで、こまかいつぶつぶから太めのつぶつぶに調理することができる。
本発明は、以上の構成によりなり、かんたんに、１個の器と１本の調理具で調理できる器具である。
【発明の効果】
【０００５】  本発明の調理器具を使用し、調理すると、卵、ポテトを器に入れ、おし切り荒みじんに、卵サラダ、ポテトサラダに調理することができる。従来のやり方にくらべ、器への移し変え、包丁、まな板、調理器具の洗いの、手間をはぶくことができる。
【発明を実施するための最良の形態】
【０００６】  以下、本発明の実施の形態を説明する。
（イ）金属（１）に、ほそ長い金属（２）、ほそ長く切れた部分（３）、でくし状に設ける。
（ロ）金属（１）、ほそ長い金属（２）、ほそ長く切れた部分（３）を設けた、くし型もと部分曲げ部分（４）、設ける。
（ハ）金属（１）、（２）、（３）、（４）でくわ型状、Ｌ字状に１本の調理具を設ける。
（ニ）くし部分（２）、（３）のすきまは、細め、中め、荒めに設けることで、こまかいつぶつぶから、あらいつぶつぶにする事ができる。
本発明は以上の構成によりなる。
【図面の簡単な説明】
【０００７】
【図１】  本発明の上視図
【図２】  本発明の横視図
【符号の説明】
【０００８】（１）金属、（２）ほそ長い金属、（３）ほそ長くきれた部分
（４）くしもと部分、曲げ部分
【図１】
2015024111.tif 000003
【図２】
2015024111.tif 000004
(57)【要約】【課題】打鈴しやすく、載置安定性に優れた超小型りんの提供を目的とする。【解決手段】底部の周辺部から側壁を立設させ、上部が開口したりんであって、側壁部の最大外径寸法が４０ｍｍ以内であり、前記最大外径部の底部からの高さがりん棒の打鈴部の半径以下であり、前記最大外径部の位置から上端開口部までの側壁は上端部に向けて徐々に縮径していることを特徴とする。【選択図】  図１
2015024129.tif 000002
【特許請求の範囲】
【請求項１】
底部の周辺部から側壁を立設させ、上部が開口したりんであって、
側壁部の最大外径寸法が４０ｍｍ以内であり、
前記最大外径部の底部からの高さがりん棒の打鈴部の半径以下であり、
前記最大外径部の位置から上端開口部までの側壁は上端部に向けて徐々に縮径していることを特徴とする超小型りん。
【請求項２】
前記りんの内径形状が前記最大外径部に対応する内径の位置から上端部に向けて徐々に拡径していることを特徴とする請求項１記載の超小型りん。
【発明の詳細な説明】
【技術分野】
【０００１】
本発明は、葬祭用具等に利用されるりんであって、概略平面の机上に直接もしくは、りん座布団を利用して載置される水平面方向において最大外形寸法直径４０ｍｍ以下の超小型りんに関するものである。
りん棒等の打鈴具で打鈴することによって、音が鳴る。
概略お椀状であって、凹部の開放部を上に向けて使用する。
【背景技術】
【０００２】
最近の葬祭用具は、生活様式の変化に伴い、仏壇等に見られるように小型化の傾向が見られる。
それに従って、りんに関しても同様に小型化が進んでいる。
【０００３】
ところが、りんに関しては、音を伴うものであるために好まれる音程の関係等の問題や叩きやすさ等の所作に係る問題から、ある一定の大きさが必要とされ、極めて小さく作るといった小型化がされてこなかった。
【０００４】
そのため、小型でも音が低く鳴るように工夫されたりんの発明（特開２０１１−２５３１７１号）や、衝撃を吸収するようにりんの底部を円形とした発明（特開２００７−５４２８７号）が提案されている。
【先行技術文献】
【特許文献】
【０００５】
【特許文献１】特開２０１１−２５３１７１号公報
【特許文献２】特開２００７−５４２８７号公報
【発明の概要】
【発明が解決しようとする課題】
【０００６】
従来のりんであっては、単に形状を小型化しただけでは、りん本体が打鈴された衝撃により、重量の軽量なことが原因でりんが置かれている定位置から動かされるといった不具合が発生していた。
そこで、本発明は、打鈴しやすく、載置安定性に優れた超小型りんの提供を目的とする。
【課題を解決するための手段】
【０００７】
最大外形寸法直径４０ｍｍ以内の超小型りんにおいて、りん外部の打鈴される箇所が常に水平面方向の直径で表すところの最大外径部より上部であるように構成したことを特徴とする超小型りんとした。
より具体的には、底部の周辺部から側壁を立設させ、上部が開口したりんであって、側壁部の最大外径寸法が４０ｍｍ以内であり、前記最大外径部の底部からの高さがりん棒の打鈴部の半径以下であり、前記最大外径部の位置から上端開口部までの側壁は上端部に向けて徐々に縮径していることを特徴とする。
【０００８】
通常のりん棒打鈴部分の胴まわりの太さは、外径で１０ｍｍ以上であるために最大外径部が高さ５ｍｍ以下の場所に位置し、りん上面に向かって直径が縮小していく形状であれば、本発明の手段を満たす。
もちろん、りん棒の打鈴部の直径値が大きい場合には、最大外径部が４０ｍｍ以上であっても条件を満たす。
要は、最大外径部がりん棒打鈴部の半径値以下の高さに位置して、上部に向かって漸次外径直径値が小さくなる形状であればよい。
【０００９】
加えて、りん内側を叩く場合も考慮して、内径も同様にりん内部の打鈴される箇所が常に水平面方向の直径で表すところの内径部が上部に向かって縮小することなく開放されるようにし、打鈴されるように構成したことを特徴とした超小型りんとすると、外面，内面両面とも特に意識せずして、安定して叩くことができる。
具体的には、りんの内径形状が前記最大外径部に対応する内径の位置から上端部に向けて徐々に拡径していることを特徴とする。
【発明の効果】
【００１０】
りんを叩いた際に打力が下方向に働くために、ずれるといった不具合が格段に軽減される。
【００１１】
内側を叩く際にも同様な仕組みを利用することによって、りん棒で打鈴される打力が安定して、下方向に働く。
このため、安定した打鈴ができる。
【図面の簡単な説明】
【００１２】
【図１】りんの断面図を示す。
【図２】りん棒でりんを打鈴する状態を示す。
【図３】打鈴時の力ｆの方向を示す。
【発明を実施するための形態】
【００１３】
本発明の具体的な形態の実施例を図面に基づいて説明する。
図１の図面は、中央部の縦端面図による説明図である。
【実施例１】
【００１４】
図１は、縦中央端面図で表してある。
この形態は、最大外径部１１の高さ位置Ｈがりんの載置面２の上面から５ｍｍ以下で構成されている。
内部は、りんの底部１３より水平方向で表すところの内径部１２の内径値が縮小されることなく拡大され、閉じることなく開放されている形状である。
図２に示すように、りん棒３の打鈴部３１によって、りん１０を打鈴する。
りん１０は、平坦面又は緩やかな曲面からなる底部１３の周辺部から側壁を立設し、上部が開口した形状になっている。
側壁は、側面視で底部１３から急激な曲面部１１ａで立ち上がり、最大外径部１１となり、それから上方は徐々に縮径した縮径部１１ｂとなり上端部１１ｃに向かう。
最大外径部１１の底部からの高さ寸法Ｈが、りん棒３の打鈴部３１の外径Ｄ１の１／２以下（半径以下）になるように設定してある。
りん棒の打鈴部の外径Ｄ１は、１０〜２０ｍｍの範囲が取り扱いやすくて好ましい。
本発明における超小型りんは、最大外径部１１の外径寸法が４０ｍｍ以下である。
また、りんの高さも４０ｍｍ以下である。
このような小型のりんであっては、底部１３の底面が平坦又は緩やかな曲面である方が、図３に示すように打鈴時の力ｆが斜め下方に向くので、安定している。
また、縮径部１１ｂの形状も側面視で上方に向けてゆっくり曲線状に縮径してもよいが、打鈴しやすさからは、概ね直線的に縮径するのが好ましい。
このようにすると、打鈴時の力ｆが安定して斜め下方に向く。
りん１０の内径形状は、最大外径部１１の内側に位置する高さＨの部分１２ａから上方開口部１２ｃに向けて徐々に拡径した拡径部１２ｂになっている。
【００１５】
外部から叩く場合は、叩くりん棒３の打鈴部３１の半径値以下に最大外径部１１が位置すればよい。
内側から叩く場合は、図１のように底部から水平面方向での内径部１２の内径値が縮小されることなく開放される形状であると、外部，内部両面どちらを打鈴しても安定して利用できるため、便利ある。
【００１６】
最大外径部から上部に向けて水平面方向の外径が縮小するように構成されている。
この実施例において、内径も同様に最大内径部より上方に向けて水平面方向の内径が大きくなるように構成されている。
【符号の説明】
【００１７】
１０      りん
１１      最大外径部
１２      内径
１３      底部
【図１】
2015024129.tif 000003
【図２】
2015024129.tif 000004
【図３】
2015024129.tif 000005
(57)【要約】      （修正有）【課題】台所に於いて、換気扇を使用中にフィルターが汚れ，目詰まりが起こったときにフィルターのみを簡単に，素早く交換ができるフィルター取付け枠を提供する。【解決手段】フィルター取付け枠（２）の複数個所にフィルター係止部（５）を設け、且つ取付け枠（２）の中央開口部にフィルター巻込み防止リブ（４）を設けたことを特徴とする。既存，台所用換気扇本体（１）の前面枠に接着剤にて接着して使用する。【選択図】図１
2015024403.tif 000002
【特許請求の範囲】
【請求項１】
フィルター取付け枠（２）の複数個所に、フィルター用係止部（５）を設けたことを特徴とするフィルター取付け枠。
【請求項２】
フィルター取付け枠（２）の中央開口部にフィルター巻込み防止リブ（４）を設けた、請求項１のフィルター取付け枠。
【請求項３】
既存，台所用換気扇本体（１）の前面枠に接着剤にて接着して使用する、請求項１のフィルター取付け枠。
【発明の詳細な説明】
【技術分野】
【０００１】この発明は台所用換気扇のフィルターを、従来のアルミ箔製や樹脂製の枠と一体型のフィルターとは異なり、フィルターのみを簡単に取替えできる換気扇用フィルター枠に関するものである。
【背景技術】
【０００２】従来、台所用換気扇取替え用フィルターは、アルミ箔製や樹脂製の枠と一体と成っておりフィルターを交換する場合は、枠ごと交換していた（特許文献１、２参照）。
その為に、有限素材であるアルミや樹脂類を無駄に破棄していた。本発明は、そのような無駄を無くし、且つフィルターのみを的確に素早く交換できる技術を提供するものである。
【先行技術文献】
【特許文献】
【０００３】
【特許文献１】特開２０００−１６７３３０号公報
【特許文献２】特開２００１−３４０７１４号公報
【発明の概要】
【発明が解決しようとする課題】
【０００４】これは、つぎのような欠点があった。
（イ）従来は、フィルターが枠と一体となっていた。
（ロ）フィルターが汚れた場合は枠ごと破棄していた。
（ハ）枠ごと破棄することで、有限素材であるアルミや樹脂類を、無駄に消費していた。
本発明は、以上のような欠点をなくすためになされたものである。
【課題を解決するための手段】
【０００５】取付け枠（２）の複数個所にフィルター係止部（５）と、中央開口部にフィルター巻込み防止リブ（４）を設ける。本発明は以上の構成よりなる、台所用換気扇フィルター取付け枠である。
【発明の効果】
【０００６】本発明のフィルター取付け枠は、換気扇本体枠に簡単に取付けが可能であり、且つフィルターのみを素早く交換できる。
【図面の簡単な説明】
【０００７】
【図１】  本発明の斜視図である
【図２】  本発明の取付けた状態を示した斜視図である。
【発明を実施するための形態】
【０００８】以下、本発明を実施するための形態について説明する。
フィルター取付け枠（２）の複数個所にフィルター係止部（５）を設け、且つ中央開口部にフィルター巻込み防止リブ（４）を設ける。本発明は以上のような構造である。
本発明を使用するときは、取付け枠（２）を接着剤（６）にて、換気扇本体の前面枠に接着する。その後、フィルター（３）を取付け枠（２）の複数個所に設けた、係止部（５）に指にて押し込む。
フィルターが汚れ、換気能力が落ちたらフィルターの端を指にて引張れば簡単にフィルターを取外しができ、新しいフィルターを取付け枠（２）の係止部（５）に指にて押し込めば良い。
【符号の説明】
【０００９】１    換気扇本体
２    フィルター取付け枠
３    フィルター（不織布、等）
４    フィルター巻込み防止リブ
５    係止部
６    接着剤（両面テープ、等）
【図１】
2015024403.tif 000003
【図２】
2015024403.tif 000004
(57)【要約】【課題】火災時初期活動の際に消火器の運搬を助けるために肩掛運搬ベルトを設けた消火器肩掛運搬ベルトを提供する。【解決手段】通常消火器（１）の周囲上部１／３にベルト（２）を設け（１）を締付縛る、肩掛け部分（３）により火災時初期活動の際に消火器の運搬を助ける。ベルト（２）及び肩掛け（３）によって、持ち運びの不便であった消火器の運搬を楽にしかも多く運ぶことができるようになった消火器運搬ベルトを特徴とする。【選択図】図２
2015024919.tif 000002
【特許請求の範囲】
【請求項１】
通常消火器（１）の周囲上部１／３にベルト（２）を設け（１）を締付縛る、肩掛け部分（３）により火災時初期活動の際に消火器の運搬を助ける。
ベルト（２）及び肩掛け（３）によって、持ち運びの不便であった消火器の運搬を楽にしかも多く運ぶことができるようになった消火器運搬ベルト。
【発明の詳細な説明】
【技術分野】
【０００１】この発明は、消火器を肩にかけて運搬移動をより早くより多く運ぶものである。
【背景技術】
【０００２】従来、消火器は設置もしくは壁掛けであって、火災発生時は、上部ハンドルかホース根元をもって移動していた。
【先行技術文献】
【特許文献】
【非特許文献】
【発明の概要】
消火器の運搬に関する手段。
【発明が解決しようとする課題】
【０００３】これは、次のような欠点があった。
従来、消火器は配置もしくは、壁掛で装備されている。
火災初期時の消火器移動の時には、消火器上部のハンドルか消火ホース根元を持って運搬に至っていた。
女性・お年よりは、１本持って移動するのが、やっとであった。
本発明は、以上のような欠点をなくすためになされたものである。
【課題を解決するための手段】
【０００４】通常消火器（１）の周囲上部１／３にベルト（２）を設け（１）を締付縛る、肩掛け部分（３）により火災時初期活動の際に消火器の運搬をする。
本発明は、以上の構成よりなる消火器肩掛運搬ベルトである。
【発明の効果】
【０００５】  火災初期時の消火器移動の時には、消火器上部のハンドルが消火ホース根元を持って運搬に至っていた。
女性・お年よりは、１本持って移動するのが、やっとであった。
この消火器肩掛運搬ベルトにより成人男性なら２〜４本を１回で運ぶことができる。
しかも確実に迅速に火災初期現場に到達できることで、鎮火が早くできる。
【図面の簡単な説明】
【０００６】
【図１】  本発明の斜視図である。
【図２】  本発明の展開図である。
【発明を実施するための形態】
【０００７】以下、本発明を実施するための最良の形態について説明する。
通常消火器（１）の周囲上部１／３にベルト（２）を設け（１）を締付縛る、肩掛け部分（３）により火災時初期活動の際に消火器の運搬を助ける。
バンド内側（４）は、消火器に接するため滑り止めのゴムである。
（５）は本発明を消火器に締付てとめるための金具である。
（２）及び（３）の素材は、不燃素材である。
（３）が途中２股になっているのは、（２）との接合部分が１本切れてももう１本が接しているので、効力が落ちないためである。
本発明は、以上のような構造である。
これを使用するときは、火災初期消火の際に迅速にかつ２〜３本の消火器を運搬移動でき鎮火に役立つ。
【産業上の利用可能性】火災初期消火の際に迅速にかつ２〜３本の消火器を運搬移動でき鎮火に役立つ。
【符号の説明】
【０００８】１    消火器
２    固定ベルト
３    肩掛ベルト
４    ズレ防止ゴム
５    ベルト止め
【受託番号】
【図１】
2015024919.tif 000003
【図２】
2015024919.tif 000004
(57)【要約】【課題】  従来の腰掛便座は、座面が水平であることが当たり前であった。これは、単に便器の上部に置くという構造上と製作上の簡便さから、排便姿勢による排便の良し悪しについて考慮されなかったためである。【解決手段】  排便姿勢において、前方部が高く中央部が低くなるように構成した。すなわち、座面の前方部が高く中央部に傾斜したことである。これにより、排便姿勢が前かがみになることを防ぎ、背筋を伸ばすような姿勢を保持することができる。このために、息を吸い込んだ後で、肛門に力を入れる動作がしやすくなり、容易に排便することができる。【選択図】図１
2015188750.tif 000002
【特許請求の範囲】
【請求項１】
座面の前方部が高く中央部が低くなるように構成し、すなわち、座面の前方部が高く中央部に傾斜した腰掛便座
【発明の詳細な説明】
【発明の詳細な説明】
【技術分野】
【０００１】  本発明は、広く一般かつ、高齢者の排便を容易にする腰掛便座に関する。
【背景技術】
【０００２】  従来の腰掛便座の座面においては、その安定性と製作上の簡易さから、水平であることが常識であった。これは、単に便器の上部に置くという構造上と製作上の簡便さから、着座姿勢による排便の良し悪しについて考慮されなかったためである。【０００３】  その中で、冷たさの感触を防ぐ暖房便座や排便後の肛門周囲に付着した便を温水で洗い流す温水洗浄便座や、座面後方部を高くした便座がある（例えば、非特許文献１参照。）。【０００４】  以下、図により、従来の腰掛便座について説明する。図３において、４は従来の腰掛便座、２は便器。【０００５】また、図４において、５は従来の腰掛便座に着座した前かがみの排便姿勢の人体。【０００６】
【特許文献１】特許公開平１０−３７２７４公法
【非特許文献１】「温水洗浄便座総合カタログ」パナソニック株式会社
【非特許文献２】日本テレビ「世界一受けたい授業」２０１４年２月１５日放送・国立病院機構久里浜医療センター内視鏡検視センター部長・水上健先生による「ねじれ腸〜直腸の形状」
【非特許文献３】愛知県豊田市・肛門科胃腸科・家田病院トイレ内「呼吸法による排便〜背筋を伸ばす」
【発明が解決しようする課題】
【０００７】  以上に述べた従来の腰掛便座では、排便を容易にすることよりも、排便時や排便後の快適さや日常の手入れを追求したものが中心であった。
【０００８】  本発明は、このような従来の考え方と異なり、排便姿勢が前かがみになることを防ぎ、背筋を伸ばすような姿勢を保持し、排便を容易にすることを目的とするものである。
【課題を解決するための手段】
【０００９】  そして、本発明は上記目的を達成するために、排便姿勢において、前方部が高く中央部が低くなるようにしたものである。
【００１０】  上記の課題解決手段における作用は、次の通りである。すなわち、座面の前方部が高く中央部に傾斜した腰掛便座に着座することで、排便姿勢が前かがみになることを防ぎ、背筋を伸ばすような姿勢を保持することができる。このために、息を吸い込んだ後で、肛門に力を入れる動作をしやすくすることができ、容易に排便することができる。
【発明を実施するための形態】
【００１１】  以下、本発明の実施をするための形態について、図１〜図２に基づいて説明する。
【００１２】  図１においては、１は便座前方部が高く中央部に傾斜した腰掛便座、２は腰掛便座を取り付ける便器。
本発明は、以上のような構造である。
【００１３】  本発明を使用するときは、図２において、３のように着座してから腰掛便座の傾斜に沿って背筋を伸ばし、排便姿勢をとる。
【発明の効果】
【００１４】  上述したように、本発明の腰掛便座は、排便姿勢が前かがみになることを防ぎ、腰掛便座の傾斜を生かして背筋を伸ばすような姿勢を保持することができる。そのため、直腸が垂直に近い西洋人と異なり、直腸が前傾している日本人（例えば、非特許文献２参照。）が排便するのに大変有効な排便姿勢を保持できる。また、息を吸い込んだ後で、肛門に力を入れる動作（例えば、非特許文献３参照。）がしやすくなり、容易に排便することができる。
【図面の簡単な説明】
【図１】本発明の側面図である。
【図２】本発明の使用状態を示した位置関係図である。
【図３】従来の腰掛便座の側面図である。
【図４】従来の使用状態を示した位置関係図である。
【符号の説明】    １  座面の前方部が高く中央部に傾斜した腰掛便座
２  腰掛便座を取り付ける便器
３  腰掛便座の傾斜を生かして背筋を伸ばした排便姿勢の人体
４  従来の腰掛便座
５  従来の腰掛便座に着座した前かがみの排便姿勢の人体
【図１】
2015188750.tif 000003
【図２】
2015188750.tif 000004
【図３】
2015188750.tif 000005
【図４】
2015188750.tif 000006
(57)【要約】【課題】  本発明は、シュシュなどの壁掛け具の形状にしたシュシュホルダーを提供する。【解決手段】  シート本体前面に角のない突起部を複数形成したことを特徴とするシュシュホルダー。【選択図】図１
2015188744.tif 000002
【特許請求の範囲】
【請求項１】
シート本体前面に角のない突起部を複数形成したことを特徴とするシュシュホルダー。
【発明の詳細な説明】
【技術分野】
【０００１】  本発明は、シュシュなどの壁掛け具の形状にしたシュシュホルダー関するものである。
【背景技術】
【０００２】  従来のシュシュなどの収納は、ケースにまとめて収納し、そのケースをさらに引き出しに入れるなどが主であった。
【発明の概要】
【発明が解決しようとする課題】
【０００３】  幼児の目の高さでも安全に据え付けられるシュシュ等の壁掛け具が、いままでなかった。
収納、取り出しに手間が掛かった。
そこで、この発明は、場所を選ばず見栄えよく簡単に収納、取り出しができるシュシュなどの壁掛け具を提供することを課題とする。
収納ケースなどに複数まとめて収納すると、目的のシュシュなど取り出すのに時間を要し、見栄えが良くなかった。
【課題を解決するための手段】
【０００４】  以上の課題を解決するために、本発明は、柔軟性を有するシート本体にシュシュなどの収納、取り出しに適した突起を複数形成したことを特徴とするシュシュなどの壁掛け具である。
【発明の効果】
【０００５】  本発明によれば、シート本体前面に形成された角のない突起部の形状により、安全で容易な収納、取り出しが可能となり、複数のシュシュなどを見栄え良く収納ができて、目的のシュシュなどを片手で簡単に取り出すことができた。
また、シート本体背面に両面テープ、吸着シートを貼ることで場所を選ばず、開閉するドアなどにも設置することができた。
突起（２）、溝（３）の働きで、シュシュなどの脱着が簡単にでき、扉など開閉式の場所に取り付けてもシュシュなどが落ちることがなく、壁掛け収納に適していて、複数設けた突起（２）、溝（３）の働きでシュシュなどを個別に収納できるため、探す手間が省ける。
また、着色された本体（１）にシュシュなどを収納することでインテリアとなる。
【図面の簡単な説明】
【０００６】
【図１】  本発明の一実施形態を示した正面図である。
【図２】  本発明の一実施形態を示したす背面図である。
【図３】  本発明の一実施形態を示した側面の拡大図である。
【発明を実施するための形態】
【０００７】  この発明の実施するための形態を、図１に示す。
シュシュなどの壁掛け具本体（１）は柔軟性を有するシートであり、この本体（１）の前面に丸みを帯びた突起（２）を設ける。
突起の形状により本体（１）との間に溝（３）が形成されシュシュなどの掛け具になる。
また、突起（２）、溝（３）は複数形成するものとする。
本体（１）は着色が可能である。
図１の実施形態では、本体（１）の前面に設けた突起（２）は半球状であるが、ドーナツ状でも良い。
また、本体（１）の形状は角のない長方形であるが、角がなければ他の形状でも良い。
本発明は以上のような構成である。
本発明を愛用するときは、突起の形状により本体（１）との間に溝（３）が形成されシュシュなどの掛け具になる。
突起（２）、溝（３）の働きでシュシュ等の脱着が容易化し、本体（１）背面に両面テープ、または、吸着シートを使用し、扉など開閉式の場所に取り付けてもシュシュなどが落ちることがない。
複数設けられた突起（２）、溝（３）の働きでヘアゴムなどを個別に収納できるため、探す手間が省ける。
また、着色された本体（１）にシュシュなどを収納することでインテリアとなる。
【符号の説明】
【０００９】１  シュシュ等壁掛け具本体
２  突起（掛け具）
３  溝
４  両面テープ、または、吸着シート
【図１】
2015188744.tif 000003
【図２】
2015188744.tif 000004
【図３】
2015188744.tif 000005